(57)【要約】【課題】負荷を軽減する。【解決手段】実施形態の通信制御システムは、無線通信可能な範囲に存在する通信端末との間で通信を行うための基地局と、通信ネットワークを介して基地局間で通信可能とするゲートウェイ装置と、で構成される通信制御システムにおいて、制御部と、取得部と、切断制御部と、を備える。制御部は、第１の通信端末からの基地局を介した発呼要求に応じて、第１の通信端末と第２の通信端末との間で通信を行うための制御を行う。取得部は、第１の通信端末の通信を切断する条件を示した切断条件情報を取得する。切断制御部は、第１の通信端末と第２の通信端末との間の通信が、取得部が取得した切断条件情報で示されている条件を満たした場合に、第１の通信端末と第２の通信端末との間の通信の切断を制御する。【選択図】図２
2017022649.tif 000002
【特許請求の範囲】
【請求項１】
無線通信可能な範囲に存在する通信端末との間で通信を行うための基地局と、通信ネットワークを介して基地局間で通信可能とするゲートウェイ装置と、で構成される通信制御システムにおいて、
第１の通信端末からの前記基地局を介した発呼要求に応じて、第１の通信端末と第２の通信端末との間で通信を行うための制御を行う制御部と、
第１の通信端末の通信を切断する条件を示した切断条件情報を取得する取得部と、
前記第１の通信端末と前記第２の通信端末との間の通信が、前記取得部が取得した前記切断条件情報で示されている条件を満たした場合に、前記第１の通信端末と前記第２の通信端末との間の通信の切断を制御する切断制御部と、
を備える通信制御システム。
【請求項２】
前記取得部により取得される前記切断条件情報が、前記第１の通信端末と前記第２の通信端末との間の通信時間、前記第１の通信端末と前記第２の通信端末との間の通信で生じる課金、所定の期間に対応して設定された前記第１の通信端末の合計通信時間、及び前記第１の通信端末と前記第２の通信端末との間の通信で生じている無音時間のうちいずれか一つ以上である、
請求項１に記載の通信制御システム。
【請求項３】
前記基地局と、当該基地局と無線通信を行っている複数の通信端末と、の間の通信トラフィックを監視する監視部と、
前記監視部により監視されている前記基地局のトラフィックの状況に基づいて、当該基地局を介して通信を行っている通信端末の通信の品質を制御する品質制御部と、
をさらに備える請求項１に記載の通信制御システム。
【請求項４】
前記基地局と、当該基地局と無線通信を行っている複数の通信端末と、の間の通信トラフィックを監視する監視部を、さらに備え、
前記取得部は、前記トラフィックの状況に対応した、前記切断条件情報を取得する、
請求項１に記載の通信制御システム。
【請求項５】
前記取得部は、前記第１の通信端末に対して契約された料金プランに対応した、前記切断条件情報を取得する、
請求項１に記載の通信制御システム。
【請求項６】
第１の通信端末からの発呼要求に応じて、第１の通信端末と第２の通信端末との間で通信を行うための制御を行う制御部と、
第１の通信端末の通信を切断する条件を示した切断条件情報を取得する取得部と、
前記第１の通信端末と前記第２の通信端末との間の通信が、前記取得部が取得した前記切断条件情報で示されている条件を満たした場合に、前記第１の通信端末と前記第２の通信端末との間の通信の切断を制御する切断制御部と、
を備える通信制御装置。
【請求項７】
前記取得部により取得される前記切断条件情報が、前記第１の通信端末と前記第２の通信端末との間の通信時間、前記第１の通信端末と前記第２の通信端末との間の通信で生じる課金、所定の期間に対応して設定された前記第１の通信端末の合計通信時間、及び前記第１の通信端末と前記第２の通信端末との間の通信で生じている無音時間のうちいずれか一つ以上である、
請求項６に記載の通信制御装置。
【請求項８】
無線通信を行っている複数の通信端末と、の間の通信トラフィックを監視する監視部を、さらに備え、
前記制御部は、さらに、トラフィックの監視結果を、通信の品質を制御する装置に対して、送信する、
請求項６に記載の通信制御装置。
【請求項９】
前記制御部は、トラフィックの監視結果を、受信し、
前記通信端末の通信の品質を制御する品質制御部を、さらに備える、
請求項６に記載の通信制御装置。
【請求項１０】
前記取得部は、前記第１の通信端末に対して契約された料金プランに対応した、前記切断条件情報を取得する、
請求項６に記載の通信制御装置。
【請求項１１】
無線通信可能な範囲に存在する通信端末との間で通信を行うための基地局と、通信ネットワークを介して基地局間で通信可能とするゲートウェイ装置と、で構成される通信制御システムで行われる通信制御方法であって、
第１の通信端末からの前記基地局を介した発呼要求に応じて、第１の通信端末と第２の通信端末との間で通信を行うための制御を行い、
第１の通信端末の通信を切断する条件を示した切断条件情報を取得し、
前記第１の通信端末と前記第２の通信端末との間の通信が、前記取得部が取得した前記切断条件情報で示されている条件を満たした場合に、前記第１の通信端末と前記第２の通信端末との間の通信の切断を制御する、
通信制御方法。
【請求項１２】
前記切断条件情報が、前記第１の通信端末と前記第２の通信端末との間の通信時間、前記第１の通信端末と前記第２の通信端末との間の通信で生じる課金、所定の期間に対応して設定された前記第１の通信端末の合計通信時間、及び前記第１の通信端末と前記第２の通信端末との間の通信で生じている無音時間のうちいずれか一つ以上である、
請求項１１に記載の通信制御方法。
【請求項１３】
前記基地局と、当該基地局と無線通信を行っている複数の通信端末と、の間の通信トラフィックを監視し、
監視されている前記基地局のトラフィックの状況に基づいて、当該基地局を介して通信を行っている通信端末の通信の品質を制御する、
請求項１１に記載の通信制御方法。
【請求項１４】
前記基地局と、当該基地局と無線通信を行っている複数の通信端末と、の間の通信トラフィックを監視し、
前記トラフィックの状況に対応した、前記切断条件情報を取得する、
請求項１１に記載の通信制御方法。
【請求項１５】
前記第１の通信端末に対して契約された料金プランに対応した、前記切断条件情報を取得する、
請求項１１に記載の通信制御方法。
【発明の詳細な説明】
【技術分野】
【０００１】
本発明の実施形態は、通信制御システム、通信制御装置、及び通信制御方法に関する。
【背景技術】
【０００２】
近年、移動体通信事業者は、ユーザに対して、通話に関する定額プランの導入を進めている。さらに、ユーザに対して、特段の制限も無く、通話時間が無制限のサービスも提供される傾向にある。このような環境下においては、特段の理由もなく、通話状態を長時間維持するユーザも生じる。基地局等では、通信端末と接続可能な数に制限のあるため、他のユーザも通信を行うと、トラフィックが混雑することが予想される。
【先行技術文献】
【特許文献】
【０００３】
【特許文献１】特開２００６−２８７２９６号公報
【発明の概要】
【発明が解決しようとする課題】
【０００４】
従来技術においては、複数の通信端末と接続を行う場合に当該接続を維持するための技術が提案されている。しかしながら、ある通信端末において、特段の理由もなく通話状態が維持されているのであれば、他の通信端末のためにも、通信を切断した方が望ましい場合もある。
【課題を解決するための手段】
【０００５】
実施形態の通信制御システムは、無線通信可能な範囲に存在する通信端末との間で通信を行うための基地局と、通信ネットワークを介して基地局間で通信可能とするゲートウェイ装置と、で構成される通信制御システムにおいて、制御部と、取得部と、切断制御部と、を備える。制御部は、第１の通信端末からの基地局を介した発呼要求に応じて、第１の通信端末と第２の通信端末との間で通信を行うための制御を行う。取得部は、第１の通信端末の通信を切断する条件を示した切断条件情報を取得する。切断制御部は、第１の通信端末と第２の通信端末との間の通信が、取得部が取得した切断条件情報で示されている条件を満たした場合に、第１の通信端末と第２の通信端末との間の通信の切断を制御する。
【図面の簡単な説明】
【０００６】
【図１】図１は、第１の実施形態の通信制御システムを例示した図である。
【図２】図２は、第１の実施形態の通信制御システムに含まれる各装置の構成を例示したブロック図である。
【図３】図３は、第１の実施形態のユーザ情報記憶部のテーブル構造を例示した図である。
【図４】図４は、第１の実施形態のユーザ合計時間記憶部のテーブル構造を例示した図である。
【図５】図５は、第１の実施形態の通信制御システムにおける、通信端末の通信開始から切断までの処理の手順を示すフローチャートである。
【図６】図６は、第１の実施形態の通信制御システムにおける、通信端末で無音の検出から切断までの処理の手順を示すフローチャートである。
【図７】図７は、第２の実施形態の通信制御システムに含まれる各装置の構成を例示したブロック図である。
【図８】図８は、第２の実施形態の通信制御システムにおける、通信端末の通信開始から切断までの処理の手順を示すフローチャートである。
【発明を実施するための形態】
【０００７】
（第１の実施形態）
図１は、本実施形態の通信制御システムを例示した図である。図１に示されるように、通信制御システムは、第１の基地局１００と、第２の基地局１０１と、第１のゲートウェイ１１０と、第２のゲートウェイ１１１と、管理サーバ１５１と、を備えている。
【０００８】
第１の基地局１００は、無線通信可能な範囲１８０内に存在する通信端末（例えば、通信端末１６１、通信端末１６２）と通信を行う。第２の基地局１０１は、無線通信可能な範囲１８１内に存在する通信端末（例えば、通信端末１７１、通信端末１７２）と通信を行う。
【０００９】
そして、第１の基地局１００は、第１のゲートウェイ１１０を介して、通信ネットワーク１５０に接続可能とする。また、第２の基地局１０１は、第２のゲートウェイ１１１を介して、通信ネットワーク１５０に接続可能とする。
【００１０】
第１のゲートウェイ１１０、及び第２のゲートウェイ１１１は、基地局（例えば、第１の基地局１００、第２の基地局１０１）からのデータ通信と音声通信とを、通信ネットワーク１５０にバイパスさせる装置とする。第１のゲートウェイ１１０、及び第２のゲートウェイ１１１は、通信ネットワーク１５０を介した基地局間で通信可能とするための制御を行う。
【００１１】
通信ネットワーク１５０は、例えば、移動体通信網（LTE、W-CDMA、GSM（登録商標）等）や、広帯域移動無線アクセスシステム（Broadband  Wireless  Access）、無線LAN等とするが、他の通信網であってもよい。
【００１２】
管理サーバ１５１は、通信ネットワーク１５０を介して、ゲートウェイ（例えば、第１のゲートウェイ１１０、第２のゲートウェイ１１１）や基地局（例えば、第１の基地局１００、第２の基地局１０１）が接続可能な装置とする。管理サーバ１５１は、通信ネットワーク１５０を利用するために契約したユーザの情報を管理している。そして、管理サーバ１５１は、管理しているユーザの情報を、必要に応じて、ゲートウェイ（例えば、第１のゲートウェイ１１０、第２のゲートウェイ１１１）や、基地局（例えば、第１の基地局１００、第２の基地局１０１）に提供する。
【００１３】
通信端末１６１、１６２、１７１、１７２は、携帯電話端末、スマートフォン、タブレット端末等の無線通信が可能な通信端末とする。
【００１４】
そして、通信端末１６１、１６２、１７１、１７２は、基地局、ゲートウェイ、及び通信ネットワーク１５０を介して、他の通信端末と通信可能とする。
【００１５】
次に、通信制御システムに含まれる各装置について説明する。図２は、本実施形態の通信制御システムに含まれる各装置の構成を例示したブロック図である。
【００１６】
第１の基地局１００は、トラフィック監視部２０１と、通信制御部２０２と、無線通信制御部２０３と、を備えている。なお、第２の基地局１０１は、第１の基地局１００と同様の構成を備えているものとして、説明を省略する。
【００１７】
無線通信制御部２０３は、通信端末（例えば通信端末１６１）との間の無線通信を制御する。
【００１８】
通信制御部２０２は、第１のゲートウェイ１１０等との間の通信を制御する。通信制御部２０２は、一方の通信端末からの基地局を介した発呼要求に応じて、当該一方の通信端末と、他方の通信端末との間で通信を行うための制御を行う。
【００１９】
例えば、無線通信制御部２０３が、通信端末（例えば通信端末１６１）からの音声通話またはデータ通信を要求する発呼を受信した場合に、無線通信制御部２０３が、当該発呼に応じて当該通信端末と通信を開始する。通信制御部２０２は、第１のゲートウェイ１１０と通信することで、通信端末を通信制御システムに参加させるための制御を行う。
【００２０】
トラフィック監視部２０１は、第１の基地局１００全体のトラフィック、換言すれば、第１の基地局１００と、当該基地局と無線通信を行っている複数の通信端末と、の間の無線通信によるトラフィックを監視する。トラフィックとしては、例えば、無線リソースブロックの使用率を監視する。トラフィックの監視結果は、通信制御部２０２により、第１のゲートウェイ１１０に通知される。
【００２１】
第１のゲートウェイ１１０は、通話切断タイマ２１１と、呼処理部２１２と、通話管理部２１３と、ユーザ情報取得部２１４と、アナウンス制御部２１５と、通信制御部２１６と、切断制御部２１７と、品質制御部２１８と、を備えている。なお、第２のゲートウェイ１１１は、第１のゲートウェイ１１０と同様の構成を備えているものとして、説明を省略する。
【００２２】
通信制御部２１６は、第１の基地局１００、及び通信ネットワーク１５０を介して接続されている管理サーバ１５１や第２のゲートウェイ１１１との間の通信（例えばＩＰ等）を制御する。通信制御部２１６は、一方の通信端末からの基地局を介した発呼要求に応じて、当該一方の通信端末と、他方の通信端末との間で通信を行うための制御を行う。
【００２３】
呼処理部２１２は、基地局、管理サーバ、及び対向ゲートウェイのうちいずれか一つ以上との間で、コネクション制御を行う。例えば、呼処理部２１２は、第１の基地局１００を介して、通信端末（例えば通信端末１６１）からの発呼要求を受け付けた場合に、発呼先の通信端末と接続可能なゲートウェイ（例えば第２のゲートウェイ１１１）との間でコネクション制御を行うために、通信制御部２１６を介して、発呼要求を送信する。
【００２４】
通話切断タイマ２１１は、第１の基地局１００を介して接続されている通信端末が、他の通信端末との間で、データ通信又は通話が開始された場合に、起動するタイマとする。通話切断タイマ２１１のタイムアウト時には、切断制御部２１７により切断制御が行われる。
【００２５】
通話管理部２１３は、第１の基地局１００を介して接続されている通信端末と、他の通信端末との間で行われている通話を管理する。例えば、通話管理部２１３は、通信端末から第１の基地局１００を介して受信したデータをデコードし、当該データに含まれている音声信号から、通話が無音であるか否かの判定を行う。
【００２６】
ユーザ情報取得部２１４は、管理サーバ１５１から、発呼要求を行った通信端末のユーザ情報を取得する。当該ユーザ情報には、当該ユーザが使用している通信端末の通信の切断条件を示す情報も含まれている。なお、具体的な情報については後述する。
【００２７】
アナウンス制御部２１５は、現在通信を行っている通信端末が、ユーザ情報取得部２１４が取得した通信の切断条件を満たす場合に、切断が行われる旨のアナウンスを、基地局を介して通信端末に出力する制御を行う。
【００２８】
切断制御部２１７は、第１の基地局１００を介して接続されている通信端末と、他の通信端末と、の間の通信が、ユーザ情報取得部２１４が取得したユーザ情報に含まれている通信の切断条件を満たしたか否かを判定する。そして、切断制御部２１７は、切断条件を満たしたと判定した場合に、第１の基地局１００を介して接続されている通信端末と、他の通信端末と、の間の通信の切断を制御する。
【００２９】
品質制御部２１８は、第１の基地局１００から受信したトラフィックの監視結果で示された、トラフィックの状況に基づいて、当該第１の基地局１００を介して通信を行っている通信端末の通信品質を制御する。通信品質の制御としては、例えば、ＱｏＳ制御を用いることが考えられる。例えば、品質制御部２１８は、トラフィックが混雑していると判断した場合に、当該第１の基地局１００を介して通信を行っている通信端末の通信品質を抑止する制御を行う。
【００３０】
管理サーバ１５１は、ユーザ情報記憶部２２１と、ユーザ合計時間記憶部２２２と、通信制御部２２３と、を備えている。
【００３１】
そして、管理サーバ１５１は、ゲートウェイ１１０、１１１や、基地局１００、１０１からの送信指示に応じて、切断条件を含むユーザ情報を、ゲートウェイ１１０、１１１や、基地局１００、１０１に送信する。
【００３２】
ユーザ情報記憶部２２１は、通信ネットワーク１５０の利用契約を行ったユーザに関する情報を記憶する。図３は、本実施形態のユーザ情報記憶部２２１のテーブル構造を例示した図である。図３に示されるように、ユーザ情報記憶部２２１は、ユーザＩＤと、契約プランと、切断時間と、課金レート（円／分）と、無音時間閾値と、課金閾値と、合計時間と、合計時間後閾値と、を対応付けて記憶している。
【００３３】
ユーザＩＤは、ユーザ毎に割り当てられたユニークな識別情報とする。契約プランは、当該ユーザが通信ネットワーク１５０を利用するために契約したプランとする。本実施形態では、通信ネットワーク１５０をどの程度利用しても料金が変化しない定額プランが複数種類設定されている。複数種類の定額プランにおいては、プランに応じて切断されるまでの時間やネットワークの品質等が異なるものとする。本実施形態では、定額プランとして、金額基準と、通話時間基準と、を設定可能とする。また、切断前のアナウンスの有無も設定可能とする。
【００３４】
切断時間は、定額プランが通話時間基準の場合に用いられる切断条件とする。本実施形態では、トラフィックが混雑している場合と、混雑していない場合とが、設定されている。例えば“６ｈ／１２ｈ”が設定される場合、トラフィックが混雑している場合に、６時間で切断され、トラフィックが混雑していない場合には１２時間で切断される。
【００３５】
課金レート（円／分）は、通話時間から通話料金を算出する場合の課金レートとする。課金レートは、固定電話や携帯端末等に違いに応じて設定しても良い。
【００３６】
無音時間閾値は、通信端末の通話が無音の場合に用いられる切断条件とする。本実施形態では、トラフィックが混雑している場合と、混雑していない場合とが、設定されている。例えば“０．５ｈ／１ｈ”が設定される場合、トラフィックが混雑している場合に、０．５時間で切断され、トラフィックが混雑していない場合には１時間で切断される。
【００３７】
課金閾値は、定額プランが金額基準の場合に用いられる切断条件とする。本実施形態では、トラフィックが混雑している場合と、混雑していない場合とが、設定されている。例えば“10000／20000”が設定される場合、トラフィックが混雑している場合に、課金10000円に相当する利用で切断され、トラフィックが混雑していない場合には課金20000円に相当する利用で切断される。
【００３８】
合計時間は、通信端末の所定の期間（例えば月単位）に設定された時間とする。通信端末の通信時間が、当該合計時間を超えた場合に、合計時間後閾値が切断条件として利用される。例えば、合計時間“300h”で合計時間後閾値“0.5h”の場合に、通信端末が一月に300時間以上利用した場合に、通信を開始してから０．５時間で切断される制御が行われる。
【００３９】
ユーザ合計時間記憶部２２２は、通信端末毎に所定の期間（例えば月単位）で利用された通信時間を記憶する。図４は、本実施形態のユーザ合計時間記憶部２２２のテーブル構造を例示した図である。図４に示されるように、ユーザ合計時間記憶部２２２は、ユーザＩＤと、当該ユーザが利用した合計利用時間と、を対応付けて記憶している。
【００４０】
通信制御部２２３は、通信ネットワーク１５０を介して接続されているゲートウェイ（例えば第１のゲートウェイ１１０、第２のゲートウェイ１１１）等との間の通信（例えば、ＩＰ）を制御する。通信制御部２２３は、ユーザ情報記憶部２２１やユーザ合計時間記憶部２２２に記憶されている情報を、ゲートウェイ（例えば第１のゲートウェイ１１０、第２のゲートウェイ１１１）に送信等を行う。
【００４１】
そして、第１のゲートウェイ１１０のユーザ情報取得部２１４が、通信制御部２１６を介して、管理サーバ１５１のユーザ情報記憶部２２１及びユーザ合計時間記憶部２２２からユーザに関する情報を取得する。取得するユーザに関する情報としては、切断条件情報が含まれている。取得する切断条件情報は、通信端末に対して契約された料金プランに対応しているものとする。例えば、契約プランが“金額基準”であれば、切断条件情報として、課金閾値を取得する。他の例としては、契約プランが“通話時間基準”であれば、切断条件情報として、切断時間を取得する。
【００４２】
ユーザ情報取得部２１４は、契約プランと関係の無い切断条件情報として、合計時間及び合計時間後閾値を取得する。また、ユーザ情報取得部２１４は、契約プランと関係の無い切断条件情報として、無音時間閾値も取得する。
【００４３】
また、ユーザ情報取得部２１４が、切断条件情報として切断時間“６ｈ／１２ｈ”を取得した場合、混雑していない場合の切断時間“１２ｈ”と、混雑している場合の切断時間“６ｈ”と、を取得している。このように、本実施形態では、トラフィックの状況に対応した切断条件情報を取得している。
【００４４】
そして、第１のゲートウェイ１１０は、取得した切断条件情報に従って、通信端末（例えば、通信端末１６１）の通信の切断制御を行う。
【００４５】
次に、本実施形態の通信制御システムにおける、通信端末の通信開始から切断までの処理について説明する。図５は、本実施形態の通信制御システムにおける上述した処理の手順を示すフローチャートである。
【００４６】
通信端末１６１は、通信端末１７１と通信するための発呼要求を、無線通信を介して、第１の基地局１００に対して行う（ステップＳ５０１）。次に、第１の基地局１００の通信制御部２０２は、通信端末１６１の認証要求を、第１のゲートウェイ１１０に対して出力する（ステップＳ５０２）。次に、第１のゲートウェイ１１０の通信制御部２１６は、入力された認証要求を、管理サーバ１５１に出力する（ステップＳ５０３）。
【００４７】
そして、管理サーバ１５１は、入力された認証要求に基づいて、通信端末１６１の認証を行う（ステップＳ５０４）。認証には、ユーザ情報記憶部２２１等を参照する。本フローチャートでは、通信端末１６１が認証できた場合について説明する。
【００４８】
そして、管理サーバ１５１の通信制御部２２３は、認証結果を含む認証応答を、第１のゲートウェイ１１０に出力する（ステップＳ５０５）。そして、第１のゲートウェイ１１０の通信制御部２１６は、入力された認証応答を、第１の基地局１００に出力する（ステップＳ５０６）。
【００４９】
そして、第１の基地局１００の通信制御部２０２は、認証できた旨の認証応答を受け取ったため、発呼要求を、第１のゲートウェイ１１０に対して出力する（ステップＳ５０７）。そして、第１のゲートウェイ１１０の通信制御部２１６は、発呼先の通信端末１７１と接続可能な第２のゲートウェイ１１１に対して、発呼要求を出力する（ステップＳ５０８）。
【００５０】
第２のゲートウェイ１１１の通信制御部２１６は、入力された発呼要求を、発呼先の通信端末１７１と通信可能な第２の基地局１０１に対して出力する（ステップＳ５０９）。そして、第２の基地局１０１の無線通信制御部２０３が、発呼要求を通信端末１７１に対して、無線通信を介して送信する（ステップＳ５１０）。これにより、通信端末１７１が発呼に対応することができる。
【００５１】
通信端末１７１は、第２の基地局１０１に対して、無線通信を介して、発呼応答を送信する（ステップＳ５１１）。その後、発呼応答が、第２のゲートウェイ１１１、第１のゲートウェイ１１０、第１の基地局１００を介して、通信端末１６１まで送信される（ステップＳ５１２〜Ｓ５１５）。また、第１のゲートウェイ１１０は、第２のゲートウェイ１１１から発呼応答が入力されたタイミングで、通話切断タイマ２１１を開始させる（Ｓ５１６）。
【００５２】
第１の基地局１００のトラフィック監視部２０１は、発呼要求を通信端末１６１に出力した後、第１の基地局１００と通信可能な通信端末との間のトラフィック状況をチェックする（ステップＳ５１７）。そして、第１の基地局１００の通信制御部２０２が、トラフィック状況が示されたトラフィック通知を、第１のゲートウェイ１１０に対して出力する（ステップＳ５１８）。
【００５３】
そして、トラフィックが混雑している場合に、第１のゲートウェイ１１０の品質制御部２１８が、トラフィックの混雑を解消することが可能な通信品質を導出する、通信品質制御を行う（ステップＳ５１９）。
【００５４】
そして、第１のゲートウェイ１１０の通信制御部２１６が、通信品質変更要求を、第１の基地局１００に出力する（ステップＳ５２０）。そして、第１の基地局１００の無線通信制御部２０３が、通信品質変更要求を、無線通信を介して、通信端末１６１に送信する（ステップＳ５２１）。これにより、通信端末１６１による通信の品質を制御できる。
【００５５】
そして、通信端末１６１は、第１の基地局１００を介して、第１のゲートウェイ１１０に対して、通信品質変更応答を出力する（ステップＳ５２２〜Ｓ５２３）。
【００５６】
そして、通信端末１６１と、通信端末１７１との間で通話が行われる（ステップＳ５３０）。なお、本フローチャートでは、通話の場合とするが、データ通信等であっても良い。
【００５７】
そして、通話切断タイマ２１１が、もうすぐ切断されることを告げるアナウンスの出力時間を経過したと判断する（ステップＳ５４１）。そして、第１のゲートウェイ１１０の通信制御部２１６が、第１の基地局１００に、アナウンスを出力する（ステップＳ５４２）。そして、第１の基地局１００の無線通信制御部２０３が、通信端末１６１に対して、アナウンスを出力する（ステップＳ５４３）。
【００５８】
さらに、通話切断タイマ２１１が、通話切断時間を経過したと判断する（ステップＳ５４４）。そして、第１のゲートウェイ１１０の通信制御部２１６が、第１の基地局１００に、切断要求を出力する（ステップＳ５４５）。そして、第１の基地局１００の無線通信制御部２０３が、通信端末１６１に対して、切断要求を出力する（ステップＳ５４６）。
【００５９】
そして、通信端末１６１が、第１の基地局１００を介して、第１のゲートウェイ１１０に対して切断応答を出力する（ステップＳ５４７〜Ｓ５４８）。
【００６０】
一方、第１のゲートウェイ１１０の通信制御部２１６が、第２のゲートウェイ１１１を介して、第２の基地局１０１に、切断要求を出力する（ステップＳ５５１〜Ｓ５５２）。そして、第２の基地局１０１の無線通信制御部２０３が、通信端末１７１に対して、切断要求を出力する（ステップＳ５５３）。
【００６１】
そして、通信端末１７１が、第２の基地局１０１、及び第２のゲートウェイ１１１を介して、第１のゲートウェイ１１０に対して切断応答を出力する（ステップＳ５５４〜Ｓ５５６）。これにより、第１のゲートウェイ１１０は、通信の切断が行われたことを認識できる。
【００６２】
上述した処理手順により、通信端末１６１と通信端末１７１との間で行われていた通話を切断できる。本実施形態では、通信端末毎に対応した切断条件を含んだユーザ情報を取得し、通信端末毎に切断制御を行う。
【００６３】
また、上述した処理手順では、通話時間に応じて切断制御を行う例について説明した。しかしながら、切断制御は通話時間に応じたものに制限するものではない。例えば、課金状態に応じた切断制御を行っても良い。課金状態に応じた切断制御には、ユーザ情報記憶部２２１に記憶されている課金閾値を用いる。課金閾値を用いる場合、通話切断タイマ２１１を開始した際に、切断制御部２１７は、通話時間及び課金レートから課金状態を算出する。そして、課金状態が課金閾値を超えた場合に、切断制御を行う。
【００６４】
次に、本実施形態の通信制御システムにおける、通信端末で無音の検出から切断までの処理について説明する。図６は、本実施形態の通信制御システムにおける上述した処理の手順を示すフローチャートである。図６に示す例では、通信端末１６１と通信端末１７１との間の通話が行われるまでは、図５と同様の処理が行われるものとして処理を省略する。
【００６５】
そして、第１のゲートウェイ１１０の通話管理部２１３は、通信端末１６１から、第１の基地局１００を介して受信したデータをデコードした際に、データに含まれている音声信号から、通話が無音を検出したものとする（ステップＳ６０１）。第１のゲートウェイ１１０の通話管理部２１３は、通信端末１６１から受信したデータに対して、継続的に通話が無音であるか否かを検出し続ける。
【００６６】
第１のゲートウェイ１１０の通話管理部２１３は、ステップＳ６０１で無音を検出してから、所定時間経過した後も検出したものとする（ステップＳ６０２）。
【００６７】
そして、第１のゲートウェイ１１０の通信制御部２１６が、第１の基地局１００に、切断要求を出力する（ステップＳ６０３）。そして、第１の基地局１００の無線通信制御部２０３が、通信端末１６１に対して、切断要求を出力する（ステップＳ６０４）。
【００６８】
そして、通信端末１６１が、第１の基地局１００を介して、第１のゲートウェイ１１０に対して切断応答を出力する（ステップＳ６０５〜Ｓ６０６）。
【００６９】
一方、第１のゲートウェイ１１０の通信制御部２１６が、第２のゲートウェイ１１１を介して、第２の基地局１０１に、切断要求を出力する（ステップＳ６１１〜Ｓ６１２）。そして、第２の基地局１０１の無線通信制御部２０３が、通信端末１７１に対して、切断要求を出力する（ステップＳ６１３）。
【００７０】
そして、通信端末１７１が、第２の基地局１０１、及び第２のゲートウェイ１１１を介して、第１のゲートウェイ１１０に対して切断応答を出力する（ステップＳ６１４〜Ｓ６１６）。
【００７１】
上述した処理手順により、通信端末１６１と通信端末１７１との間で行われていた通話を切断できる。
【００７２】
本実施形態では、通信品質を制御する例について説明したが、本実施形態は、通信品質の制御を行うことに制限するものではなく、切断条件に基づいた通信端末の切断制御が行われれば良い。
【００７３】
本実施形態では、ゲートウェイ１１０が、通信端末毎に設定された切断条件に基づいた、当該通信端末の通信の切断を行うことができる。これによりトラフィック軽減を実現できる。
【００７４】
（第２の実施形態）
第１の実施形態では、ゲートウェイ側で切断制御を行う例について説明した。しかしながら、切断制御を行うのをゲートウェイ側に制限するものではない。そこで、第２の実施形態では、基地局側で切断制御を行う場合について説明する。
【００７５】
次に、通信制御システムに含まれる各装置について説明する。図７は、第２の実施形態の通信制御システムに含まれる各装置の構成を例示したブロック図である。なお、第１の実施形態と同様の構成については同一の符号を割り当て、説明を省略する。
【００７６】
第１の基地局７００は、第１の実施形態と同様に、トラフィック監視部２０１と、通信制御部２０２と、無線通信制御部２０３と、を備えている。さらに、第１の基地局７００は、通話切断タイマ７０１と、呼処理部７０２と、通話管理部７０３と、ユーザ情報取得部７０４と、アナウンス制御部７０５と、切断制御部７０６と、を備えている。
【００７７】
第１の基地局７００が備える、通話切断タイマ７０１、呼処理部７０２、通話管理部７０３、ユーザ情報取得部７０４、アナウンス制御部７０５、及び切断制御部７０６は、第１の実施形態の第１のゲートウェイ１１０が備える、通話切断タイマ２１１、呼処理部２１２、通話管理部２１３、ユーザ情報取得部２１４、アナウンス制御部２１５と、同様の処理を行うものとする。これにより第１の基地局７００が、通信端末のデータ通信又は通話の切断制御を実行できる。
【００７８】
第１のゲートウェイ７５０は、通信制御部２１６と、通話品質変更タイマ７５１と、品質制御部７５２と、を備えている。
【００７９】
品質制御部７５２は、第１の基地局７００から受信したトラフィックの監視結果で示された、トラフィックの状況に基づいて、当該第１の基地局７００を介して通信を行っている通信端末の通信品質を制御する。本実施形態では、通話品質変更タイマ７５１を用いた通信品質の制御手法について説明するが、第１の実施形態と同様にトラフィックが混雑している場合にすぐに通信品質の制御を行っても良い。
【００８０】
本実施形態の品質制御部７５２は、通信端末１６１からの発呼要求時に、トラフィックが混雑していると判断した場合に、通話品質変更タイマ７５１を起動する。そして、通話品質変更タイマ７５１が、予め設定された、通話品質変更時間を経過したと判定した場合に、品質制御部７５２が、通信端末１６１の通話品質制御を行う。なお、通信端末１６１の通話品質の制御手法は、第１の実施形態と同様として説明を省略する。
【００８１】
次に、本実施形態の通信制御システムにおける、通信端末の通信開始から切断までの処理について説明する。図８は、本実施形態の通信制御システムにおける上述した処理の手順を示すフローチャートである。なお、第２の基地局８００は、第１の基地局７００と同様の構成とし、第２のゲートウェイ８５０は、第１のゲートウェイ７５０と同様の構成とする。
【００８２】
まずは、第１の実施形態の図５のステップＳ５０１〜Ｓ５１５と同様の処理手順により、通信端末１６１による発呼要求から発呼応答までが行われる（ステップＳ８０１〜Ｓ８１５）。
【００８３】
そして、第１の基地局７００のトラフィック監視部２０１は、発呼要求を通信端末１６１に出力した後、第１の基地局７００と通信可能な通信端末との間のトラフィック状況をチェックする（ステップＳ８１６）。そして、第１の基地局７００の通信制御部２０２が、トラフィック状況が示されたトラフィック通知を、第１のゲートウェイ７５０に対して出力する（ステップＳ８１７）。
【００８４】
そして、第１のゲートウェイ７５０は、第１の基地局７００から入力されたトラフィック通知で、トラフィックが混雑していると判定した場合、通話品質変更タイマ７５１を開始させる（ステップＳ８１８）。
【００８５】
一方、第１の基地局７００では、第１のゲートウェイ７５０から発呼応答が入力されたタイミングで、通話切断タイマ２１１を開始させる（ステップＳ８１９）。
【００８６】
そして、通信端末１６１と、通信端末１７１との間で通話が行われる（ステップＳ８３０）。
【００８７】
そして、通話品質変更タイマ７５１が、通話品質変更時間を経過したと判断する（ステップＳ８４１）。第１のゲートウェイ７５０の通信制御部２１６が、第１の基地局７００に、通信品質変更要求を出力する（ステップＳ８４２）。第１の基地局７００の無線通信制御部２０３が、通信端末１６１に対して、通信品質変更要求を出力する（ステップＳ８４３）。これにより、通信端末１６１による通信の品質を制御できる。
【００８８】
そして、通信端末１６１は、第１の基地局７００を介して、第１のゲートウェイ７５０に対して、通信品質変更応答を出力する（ステップＳ８４４〜Ｓ８４５）。
【００８９】
通話切断タイマ２１１が、もうすぐ切断されることを告げるアナウンスの出力時間を経過したと判断する（ステップＳ８４６）。そして、第１の基地局７００の無線通信制御部２０３が、通信端末１６１に対して、アナウンスを出力する（ステップＳ８４７）。
【００９０】
その後、通話切断タイマ２１１が、通話切断時間を経過したと判断する（ステップＳ８４８）。そして、第１の基地局７００の無線通信制御部２０３が、通信端末１６１に対して、切断要求を出力する（ステップＳ８４９）。
【００９１】
そして、通信端末１６１が、第１の基地局７００に対して切断応答を出力する（ステップＳ８５０）。
【００９２】
一方、第１の基地局７００の通信制御部２０２が、第１のゲートウェイ７５０に対して、切断要求を出力する（ステップＳ８６１）。そして、第１のゲートウェイ７５０の通信制御部２１６が、第２のゲートウェイ８５０を介して、第２の基地局８００に、切断要求を出力する（ステップＳ８６２〜Ｓ８６３）。そして、第２の基地局８００の無線通信制御部２０３が、通信端末１７１に対して、切断要求を出力する（ステップＳ８６４）。
【００９３】
そして、通信端末１７１が、第２の基地局８００、第２のゲートウェイ８５０、及び第１のゲートウェイ７５０を介して、第１の基地局７００に対して切断応答を出力する（ステップＳ８６５〜Ｓ８６８）。
【００９４】
上述した処理手順により、通信端末１６１と通信端末１７１との間で行われていた通話を切断できる。
【００９５】
また、本実施形態では、通信品質制御にタイマを用いることで、長時間通信を行うユーザに対して、トラフィック混雑による通信の品質低下を受容させることで、ユーザ間の公平性を保つことができる。
【００９６】
（変形例）
上述した実施形態では、閾値を超えた場合に切断する例について説明した。しかしながら、上述した実施形態は、閾値を一つに制限するものではない。閾値を複数設けることが考えられる。本変形例では、複数の閾値を設けた場合について説明する。
【００９７】
本変形例のゲートウェイは、管理サーバ１５１から複数の閾値を取得する。複数の閾値は、課金に関する閾値でも良いし、時間に関する閾値でも良い。そして、ゲートウェイの切断制御部は、通信端末の通話時間又は通話料金が第１の閾値を超えた場合に、当該通信端末の通信品質を抑止する制御を行う。さらに、切断制御部は、通信端末の通話時間又は通話料金が、第２の閾値を超えた場合に、通話を切断する制御を行う。
【００９８】
上述した実施形態では、通信制御装置として、ゲートウェイや基地局に適用した例について説明した。しかしながら、通信制御装置を、ゲートウェイや基地局に適用することに制限するものではなく、他の装置に適用しても良い。
【００９９】
上述した実施形態では、例えば、長時間通信が継続している通信端末の切断制御や、通信を接続しているにもかかわらず通話が行われていない通信端末の切断制御を行うこととした。これにより、通信制御システム全体の負荷を軽減できる。
【０１００】
また、上述した実施形態では、長時間利用しているユーザの通信端末の切断制御を優先的に行うことで、ユーザの負担を均等にすることができる。
【０１０１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０２】
１００…第１の基地局、１０１…第２の基地局、１１０…第１のゲートウェイ、１１１…第２のゲートウェイ、１５０…通信ネットワーク、１５１…管理サーバ、１６１…通信端末、１６２…通信端末、１７１…通信端末、１７２…通信端末、２０１…トラフィック監視部、２０２…通信制御部、２０３…無線通信制御部、２１１…通話切断タイマ、２１２…呼処理部、２１３…通話管理部、２１４…ユーザ情報取得部、２１５…アナウンス制御部、２１６…通信制御部、２１７…切断制御部、２１８…品質制御部、２２１…ユーザ情報記憶部、２２２…ユーザ合計時間記憶部、２２３…通信制御部、７００…第１の基地局、７０１…通話切断タイマ、７０２…呼処理部、７０３…通話管理部、７０４…ユーザ情報取得部、７０５…アナウンス制御部、７０６…切断制御部、７５０…第１のゲートウェイ、７５１…通話品質変更タイマ、７５２…品質制御部、８００…第２の基地局、８５０…第２のゲートウェイ。
【図１】
2017022649.tif 000003
【図２】
2017022649.tif 000004
【図３】
2017022649.tif 000005
【図４】
2017022649.tif 000006
【図５】
2017022649.tif 000007
【図６】
2017022649.tif 000008
【図７】
2017022649.tif 000009
【図８】
2017022649.tif 000010